(57)【要約】【課題】従来のヘアドライヤーホルダーは、セットワゴンへの取り付け、取り外しが面倒である、セットワゴンに取り付けると不要時には作業者の動線を阻害し作業上邪魔になることがある、といった課題があった。【解決手段】本願発明は、ヘアドライヤーを載置、差込み又は支持等が可能なセット部と、理美容作業用のセットワゴンに脱着可能な脱着部と、を備えたヘアドライヤーホルダーであり、前記脱着部によって前記セットワゴンに対して回転自在に取り付けられ、その回転によって前記セット部を前記セットワゴン内に出し入れ可能とするヘアドライヤーホルダーを提供するものである。【選択図】図１
2010194056.tif 000002
【特許請求の範囲】
【請求項１】
ヘアドライヤーを載置、差込み又は支持可能なセット部と、
理美容作業用のセットワゴンの一部に回転可能に装着可能であって取り外し可能な脱着部と、を備えたヘアドライヤーホルダーであって、
前記脱着部で回転させることによって前記セット部を前記セットワゴン内に出し入れ可能であることを特徴とするヘアドライヤーホルダー。
【請求項２】
請求項１記載のヘアドライヤーホルダーにおいて、
セット部に、ヘアドライヤーの一部を挿入することが可能な貫通孔を備えたことを特徴とするヘアドライヤーホルダー。
【発明の詳細な説明】
【技術分野】
【０００１】
本願発明は、理美容作業用のヘアドライヤーを置いておくためのヘアドライヤーホルダーに関するものである。
【背景技術】
【０００２】
ヘアドライヤーは理美容作業にとって欠かせない道具であり、理美容師の近くにあると作業上極めて便利である。しかし、ヘアドライヤーは比較的重量があり電気コードがつながれていることもあって、ハサミやブラシのように腰ベルトに差して携帯する、あるいは作業衣のポケットに入れておくことが難しく、店内の鏡台の上や理美容師が作業中に脇に引き寄せておくセットワゴンの天板上に置くことが多い。
【０００３】
しかし、このセットワゴンの天板上には、ヘアドライヤーよりも利用頻度の高い小物類を置くことも多く、ヘアドライヤーを置くことでそれら小物類が置けない、あるいは作業中に小物類をセットワゴン上から落としてしまう等の不都合が生じていた。
【０００４】
一方、ヘアドライヤーの置き場所については特許文献１のように壁に掛けるタイプのものが提案されているが、理美容師にとっては使い勝手の良いものではない。
そこで、図５に示すように、セットワゴンＡに直接ビスＢで止めるタイプのホルダーＣが使用されている。
【先行技術文献】
【特許文献】
【０００５】
【特許文献１】特開２００２−２８０２３
【発明の概要】
【発明が解決しようとする課題】
【０００６】
本願発明の課題は、以下の掲げた問題点を解決することにある。
（１）図５のホルダーはセットワゴンへの取り付け、取り外しが面倒である。
（２）図５のホルダーは固定式であり、常にセットワゴンの外に突出しているため、不要時には作業者の動線を阻害し作業上邪魔になることがある。
【課題を解決するための手段】
【０００７】
本願発明のヘアドライヤーホルダーは、ヘアドライヤーを載置、差込み又は支持等が可能なセット部と、理美容作業用のセットワゴンのパイプ状の脚、支柱、枠、突起、他の理美容機器のポールといったセットワゴンの一部（支持部）に回転可能に装着可能であって取り外しも可能な脱着部とを備えたものであり、ヘアドライヤーの必要時には回転させて理美容師が取り出し易い位置に引き出すことができ、前記セット部を不使用時には回転させて邪魔のならないセットワゴン内、例えばセットワゴンの天板裏などに収容可能としたものである。また、本願発明のヘアドライヤーホルダーは、そのセット部にヘアドライヤーの一部を挿入することが可能な貫通孔を備えたものとすることもできる。
【発明の効果】
【０００８】
本願発明のヘアドライヤーホルダーには次のような効果がある。
（１）理美容作業用中、理美容師の近くにヘアドライヤーを常備することができるので、作業し易い。
（２）脱着部によって、既存の理美容作業用のセットワゴンに容易に脱着することができる。
（３）理美容作業用のセットワゴンに回転自在に取り付け可能であるため、不要時は回転させてセットワゴンの天板裏に収容することができ、作業者の動線を阻害せず、作業者の動きの邪魔にならないようにすることができる。
【図面の簡単な説明】
【０００９】
【図１】（ａ）は本願発明のヘアドライヤーホルダーをセットワゴンに取り付けた状態を示す斜視図、（ｂ）はセット部の底面を示す平面図。
【図２】脱着部の詳細を説明するための説明図。
【図３】本願発明のヘアドライヤーホルダーにヘアドライヤーを載置した状態を示す斜視図。
【図４】本願発明のヘアドライヤーホルダーにヘアドライヤーを差し込んだ状態を示す斜視図。
【図５】従来のホルダーをセットワゴンに取り付けた状態を示す斜視図。
【発明を実施するための形態】
【００１０】
（実施形態１）
本願発明のヘアドライヤーホルダーの一実施形態を図に基づいて説明する。この実施形態では、ヘアドライヤーホルダーを理美容作業用のセットワゴンを構成する支柱に取り付けた例を説明しているが、セットワゴンの構成する部材のうち回転可能に取り付けられる部材（例えば、パイプ状の脚、突起、ポール、枠など）があれば、支柱に限らずその部材にヘアドライヤーホルダーを取り付けても構わない。
【００１１】
図１（ａ）に示すように、ヘアドライヤーホルダー１はヘアドライヤーを載置、差込み又は支持等をする（以下、セットするという）ためのセット部２と、セットワゴンに取り付けるための脱着部３を備えたものである。
【００１２】
図１（ａ）に示すセット部２は、鍋型の形状を呈しており、リング状の枠４の下方に円筒状の側壁５が取り付けられ、その側壁５の下端には枠４と略平行に底面６が備えられ、この底面６にはヘアドライヤーの吹き出し部分を挿入するための挿入孔７が設けられている。また、枠４と脱着部３との間には平坦面をなす載置台８が設けられている。
【００１３】
ヘアドライヤーは、枠４と側壁５からなる形状を利用して載置されたり、側壁５と底面６からなる鍋型形状を利用して載置されたり、載置台８の平坦面を利用して載置されたり、ヘアドライヤーの吹き出し部分を挿入孔７に挿入したり、種々の態様でヘアドライヤーホルダー１にセットされる。ヘアドライヤーの持ち手部分を挿入孔７に挿入した状態でヘアドライヤーが安定すれば、持ち手部分を挿入してヘアドライヤーホルダー１にセットしても構わない。
【００１４】
なお図１（ｂ）に示すように、挿入孔７は矩形の隅角部が曲線となっており、四辺夫々に凸状の切り欠き部が設けられている。これによって、ヘアドライヤーの吹き出し口が幅広のものであっても、吹き出し口を挿入孔７の対角方向に向けて、あるいは凸状の切り欠き部に嵌合する方向に向けることで、ヘアドライヤーの吹き出し部分を挿入孔７に挿入することができる。
また、ヘアドライヤーの形状に応じて、四隅の曲線部にヘアドライヤーの一部を宛がったり、四辺に設けられた凸状の切り欠き部に宛がったり、これらを組み合わせて宛がうなど、ヘアドライヤーが安定する状態で載置することもできる。
【００１５】
セット部２を構成する材料としては、軽量であって可撓性がある樹脂製が望ましいが、その他弾性のあるゴム製、錆びにくく強度のあるステンレス製、その他木製など種々の材料を選択することができる。
【００１６】
またセット部２の形状は図１（ａ）（ｂ）に示すものに限らず、ヘアドライヤーを載置できるものであれば、リング状枠のみのもの、さらにそのリング状枠の一部を欠いたもの、鍋型であって平面形状が楕円形、多角形のものなど任意の形状とすることができるのは言うまでもない。
【００１７】
セット部２には（図１（ａ）では載置台８の両側方）、ブラシの柄を挿入するためのブラシ挿入孔１０と櫛の柄を挿入するための櫛挿入孔１１が夫々設けられ、ヘアドライヤーだけでなく他の理美容具をセットできるものとなっている。その他、タオル、ウォータースプレー、大型髪留め、大型ヘアピンなどがセットできるヘアドライヤーホルダー１とすることもできる。
【００１８】
脱着部３は、ヘアドライヤーホルダー１をセットワゴンの支柱９に取り付けるためのものであり、図２に示すように支柱９を挿通するための支柱挿通孔１２と支柱９を挟み込むためのキャップ１３を備えている。支柱挿通孔１２に支柱９を通したうえでキャップ１３を脱着部３に嵌合させ、支柱９を挟み込んで締め付けることで、ヘアドライヤーホルダー１は支柱９に取り付けられる。これによってヘアドライヤーホルダー１は、支柱９に対して下方に滑り落ちないように固定されるが、支柱９に対して回転する動き（図１（ａ）のＸ、Ｙ方向）は自由である。
ヘアドライヤーホルダー１を支柱９から取り外す際は、取り付けるときとは逆に、キャップ１３を脱着部３から抜き取った後に、支柱９を支柱挿通孔１２から外すという手順で行う。
【００１９】
なお本実施例では取り付ける支柱９の断面と、図２に示す支柱挿通孔１２及びキャップ１３を組み合わせて形成される断面円形の空間（以下、挿通孔空間という）とが、大きさ、形状ともにほぼ一致しているが、大きさや形状が一致していない場合はこれを調整するためのアジャスターを支柱９に取り付けることができる。すなわち、支柱９の断面が挿通孔空間よりも小さい円形の場合は、挿通孔空間と支柱９との間にできる隙間を埋めることが可能であって外周が円筒状であるアジャスターを支柱９に取り付け、このアジャスターの外周に密着させるように支柱挿通孔１２及びキャップ１３を取り付ける。これによって、ヘアドライヤーホルダー１はアジャスターを介して支柱９に取り付けられ、支柱９に対して下方に滑り落ちないように固定されるが、支柱９に対して回転する動きは自由となる。
また、支柱９の断面形状が矩形など円形でない場合は、内空が支柱９の断面形状にあった矩形等の形状であって、外周が円筒状であるアジャスターを用いることができる。この場合、アジャスターは支柱９に密着して嵌合するため、支柱９に対して下方に滑り落ちないように固定され、且つ支柱９に対して回転が拘束されるように固定される。一方、挿通孔空間は断面円形でありこの場合のアジャスター外周も円筒状であるので、このアジャスターの外周に密着させるように支柱挿通孔１２及びキャップ１３を取り付けることで、ヘアドライヤーホルダー１はアジャスターに対して回転する動きが自由となるように取り付けられる。その結果、ヘアドライヤーホルダー１はアジャスターを介して支柱９に取り付けられ、支柱９に対して下方に滑り落ちないように固定されるが、支柱９に対して回転する動きは自由となる。
【００２０】
前記のとおり、支柱９に対するヘアドライヤーホルダー１の取り外し作業は極めて容易である。また、一旦ヘアドライヤーホルダー１を支柱９に取り付けてしまえば、必要な時はセットワゴンの外側に表れるようにヘアドライヤーホルダー１を回転させ、不要な時には再度回転させてセットワゴンの天板裏などセットワゴン内にヘアドライヤーホルダー１収納することができるので、使用時や不使用時の際に繰り返し取り外し作業を行う必要もない。
【００２１】
なお脱着部３は、支柱９に対してヘアドライヤーホルダー１が下方に滑り落ちないように固定され、且つ支柱９に対して回転自由となるように取り付けることのできる構造であれば、図２に示すキャップ形式に限られない。例えば脱着部３を、硬質ゴムなど弾性を有する材料を利用したリング状の一部を切り欠いた形状とし、その切り欠き部分を押し広げて支柱９に嵌め込み、あるいは取り外すことができる構造とすることもできる。
【００２２】
（実施形態２）
本願発明のヘアドライヤーホルダー１の他の実施形態を図２に基づいて説明する。この実施形態は、セット部２の形状が実施形態１とは異なる場合を説明するためのものであって、基本的な内容は実施形態１と共通する。
【００２３】
図２に示すヘアドライヤーホルダー１のセット部２は、リング状の枠に一部切り欠き部１４があるリング枠１５を備え、このリング枠１５の内側にはヘアドライヤーを挿入させて支持するための貫通孔１６が設けられている。
図３に示すようにヘアドライヤー１７をヘアドライヤーホルダー１にセットする際は、ヘアドライヤー１７の吹き出し部１９を貫通孔１６に挿入し、ヘアドライヤー１７の持ち手部１８をリング枠１５に係止させ、ヘアドライヤー１７が起立した状態となるように行う。
また、吹き出し部１９の先端である吹き出し口が幅広となっている場合、リング枠１５の切り欠き部１４と、リング枠１５の支柱側に設けられた凹部空間を利用して、幅広の吹き出し口をリング枠１５に通したうえで、ヘアドライヤー１７の吹き出し部１９を貫通孔１６に挿入することができる。
【００２４】
（実施形態３）
本願発明のヘアドライヤーホルダー１の他の実施形態を図４に基づいて説明する。この実施形態は、セット部２の形状が実施形態１や実施形態２とは異なる場合を説明するためのものであって、基本的な内容は実施形態１と共通する。
【００２５】
図４に示すヘアドライヤーホルダー１のセット部２は、長円形状の枠の長手方向両端に一部突出した突出部２０を持つ長円枠２１を備え、この長円枠２１の内側にはヘアドライヤーを挿入させて支持するための貫通孔１６が設けられている。
ヘアドライヤー１７をヘアドライヤーホルダー１にセットする際は、ヘアドライヤー１７の持ち手部１８と吹き出し部１９を突出部２０に夫々宛がうようにしてヘアドライヤー１７を長円枠２１の上部に寝かせ、持ち手部１８と吹き出し部１９を突出部２０が交差する中心部を貫通孔１６の中に挿入してヘアドライヤー１７が安定した状態となるように行うことができる。
【産業上の利用可能性】
【００２６】
本願発明のヘアドライヤーホルダーは、理美容室で利用する場合に限らず、家庭用の洗面台での利用、ホテルの洗面台での利用、又は病院施設での利用など、様々な施設等で応用することができる。
【符号の説明】
【００２７】
１    ヘアドライヤーホルダー
２    セット部
３    脱着部
４    枠
５    側壁
６    底面
７    挿入孔
８    載置台
９    支柱
１０  ブラシ挿入孔
１１  櫛挿入孔
１２  支柱挿通孔
１３  キャップ
１４  切り欠き部
１５  リング枠
１６  貫通孔
１７  ヘアドライヤー
１８  持ち手部
１９  吹き出し部
２０  突出部
２１  長円枠
Ａ    セットワゴン
Ｂ    ビス
Ｃ    ホルダー
【図１】
2010194056.tif 000003
【図２】
2010194056.tif 000004
【図３】
2010194056.tif 000005
【図４】
2010194056.tif 000006
【図５】
2010194056.tif 000007